(57)【要約】【課題】足場が存在する場合に、パネルユニット２２を除くフェンス１ｃの構成各部材を設置でき、このパネルユニット２２の建て込みを、上記足場を除去した後に行なえる様にする。【解決手段】上記パネルユニット２２の下辺を支える下枠２０は、各支柱１９の表側に支持ブラケット２５を介して昇降可能に、且つ、取付ねじ２８、２８を緊締した状態で上下位置を固定可能に支持されている。上記各パネルユニット２２は、それぞれの上端縁部を上枠２１の上側抱持溝部３８に、同じく下端縁部を上記下枠２０の下側抱持溝部３３に、それぞれ抱持する事で、上記上下両枠２０、２１同士の間に保持する。上記パネルユニット２２を除くフェンス１ｃの構成各部材は、上記足場を設けた状態で設置し、このパネルユニット２２は、上記足場を撤去した後、上記下枠２０を適正位置に下降させてから建て込む。【選択図】図３
2007327286.tif 000002
【特許請求の範囲】
【請求項１】
水平方向に互いに間隔をあけてそれぞれ上下方向に固定した複数本の支柱と、これら各支柱の中間部同士の間に、これら各支柱よりも表側に突出した状態で掛け渡された、上方が開口した下側抱持溝部を有する下枠と、上記各支柱の上部同士の間に、これら各支柱よりも表側に突出した状態で掛け渡された、下方が開口した上側抱持溝部を有する上枠と、それぞれの下端縁部を上記下枠に、それぞれの上端縁部を上記上枠に、それぞれ抱持された複数枚のパネルユニットとを備えたフェンスに於いて、上記下枠は、上記各支柱の表側に支持ブラケットを介して支持されており、これら各支持ブラケットはこれら各支柱の表側側面に上下方向に設けられた係止溝部に、取付ねじを緩めた状態で昇降可能に、且つ、この取付ねじを緊締した状態で上下位置を固定可能に支持されており、上記各パネルユニットは、それぞれの上端縁部を上記上側抱持溝部に、同じく下端縁部を上記下側抱持溝部に、それぞれ抱持する事で、上記上下両枠同士の間に保持している事を特徴とするフェンス。
【請求項２】
上側抱持溝部の深さを、この上側抱持溝部と各パネルユニットの上端縁部との上下方向に関する掛り代と、これら各パネルユニットの下端縁部と下枠との上下方向に関する掛り代とを合計した深さ以上とする事により、予め所定位置に固定した下枠と上枠との間に上記各パネルユニットを建て込み、更にこれら両枠同士の間に保持可能とした、請求項１に記載したフェンス。
【請求項３】
水平方向に互いに間隔をあけてそれぞれ上下方向に固定した複数本の支柱と、これら各支柱の中間部同士の間に、これら各支柱よりも表側に突出した状態で掛け渡された、上方が開口した下側抱持溝部を有する下枠と、上記各支柱の上部同士の間に、これら各支柱よりも表側に突出した状態で掛け渡された、下方が開口した上側抱持溝部を有する上枠と、それぞれの下端縁部を上記下枠に、それぞれの上端縁部を上記上枠に、それぞれ抱持された複数枚のパネルユニットとを備え、上記下枠は、上記各支柱の表側に支持ブラケットを介して支持されており、これら各支持ブラケットはこれら各支柱の表側側面に上下方向に設けられた係止溝部に、取付ねじを緩めた状態で昇降可能に、且つ、この取付ねじを緊締した状態で上下位置を固定可能に支持されており、上記各パネルユニットは、それぞれの上端縁部を上記上側抱持溝部に、同じく下端縁部を上記下側抱持溝部に、それぞれ抱持する事で、上記上下両枠同士の間に保持しているフェンスを、ビルディングのベランダの屋外側端部に設置する、フェンスの構築方法であって、このベランダ部分に足場が存在する状態で、上記各支柱の上端部同士の間でフェンス完成後の位置に上枠を固定すると共に、上記各支持ブラケットを上記係止溝部に沿って移動させる事により、上記各支柱の上下方向中間部でフェンス完成後の位置よりも上方に位置させ、且つ、上記各支持ブラケット同士の間に上記下枠を掛け渡した状態で上記取付ねじを緊締して、この下枠を上記各支柱同士の間で完成後の状態よりも上方位置に仮固定した後、これら各支柱の基端部を射体に支持固定した状態で上記足場を取り外した後、上記取付ねじを緩めて上記各支持ブラケットを上記下枠と共にフェンス完成後の位置に迄下降させて固定してから、この下枠と上記上枠との間に上記各パネルユニットを建て込む、フェンスの構築方法。
【請求項４】
上側抱持溝部の深さを、この上側抱持溝部と各パネルユニットの上端縁部との上下方向に関する掛り代と、これら各パネルユニットの下端縁部と下枠との上下方向に関する掛り代とを合計した深さ以上とし、それぞれが完成後の位置に設置された下枠と上枠との間に上記各パネルユニットを、これら各パネルユニットの上端縁部を上側抱持溝部に係合させてからこれら各パネルユニットの下端縁部を下側抱持溝部に係合させる順番で建て込む、請求項３に記載したフェンスの構築方法。
【請求項５】
各支持ブラケットの一部にねじ孔又は通孔が形成されており、各支柱の表側下部で、それぞれ支持ブラケットをフェンス完成後の位置に迄移動させた状態で上記ねじ孔又は通孔と整合する位置に、通孔又はねじ孔が設けられており、上記各支持ブラケットをフェンス完成後の位置に移動させた後、これら各支持ブラケット又は上記各支柱に形成されたねじ孔に螺合した固定用ねじを、これら各支柱又はこれら各支持ブラケットに形成された通孔に挿通する事により、これら各支柱に対するこれら各支持ブラケットの上下位置を規制する、請求項３〜４のうちの何れか１項に記載したフェンスの構築方法。
【請求項６】
各支柱の表側側面に設けた係止溝部は、この表側開口部の幅が狭く、奥側の幅が広くなっており、この係止溝部に上下方向の移動を可能に係合させた各係止板に形成したねじ孔に、各支持ブラケットに形成した通孔を表側から挿通した取付ねじを螺合させており、上記各係止板の下端部をこれら各支持ブラケットの下端縁よりも下方に迄延長し、これら各係止板の下端縁をベランダの屋外側端部で上記各支柱を設ける部分の上面に突き当てる事で、上記各支持ブラケットの下降量を制限する、請求項３〜５のうちの何れか１項に記載したフェンスの構築方法。
【請求項７】
各支持ブラケットの一部にねじ孔又は通孔が形成されており、各支柱の表側下部で、それぞれ支持ブラケットをフェンス完成後の位置に迄移動させた状態で上記ねじ孔又は通孔と整合する位置に、通孔又はねじ孔が設けられており、上記各支柱の表側側面に設けた係止溝部は、この表側開口部の幅が狭く、奥側の幅が広くなっており、この係止溝部に上下方向の移動を可能に係合させた各係止板に形成したねじ孔に、各支持ブラケットに形成した通孔を表側から挿通した取付ねじを螺合させており、上記各係止板の下端部をこれら各支持ブラケットの下端縁よりも下方に迄延長し、これら各係止板の下端縁をベランダの屋外側端部で上記各支柱を設ける部分の上面に突き当てる事で、上記各支持ブラケットの下降量を、これら各支持ブラケット側に形成したねじ孔又は通孔が、上記各支柱側に設けた通孔又はねじ孔に丁度整合するか、若しくは、これら各支柱側に設けた通孔又はねじ孔よりも少しだけ下方に位置する様に制限しており、上記各支持ブラケットを下降させて上記各係止板の下端縁を上記上面に突き当てた後、これら各支持ブラケット又は上記各支柱に形成されたねじ孔に螺合した固定用ねじを、これら各支柱又はこれら各支持ブラケットに形成された通孔に挿通する事により、これら各支柱に対するこれら各支持ブラケットの上下位置を規制する、請求項３〜４のうちの何れか１項に記載したフェンスの構築方法。
【発明の詳細な説明】
【技術分野】
【０００１】
この発明は、高層マンション等の高層建築物のベランダ等の柵として利用するフェンス及びその構築方法の改良に関し、建設作業員の安全性確保を図れる構造及びその構築方法を実現するものである。
【背景技術】
【０００２】
図１０〜１５は、高層マンション等の高層建築物のベランダ等の柵として利用できるフェンスの２例を示している。これらのフェンス１、１ａは、鉄筋コンクリート等により造った、比較的低い腰塀或いは土手部の如き基部２の上面に構築している。上記フェンス１、１ａを構築する為に、この基部２の上面に複数本の支柱３、３ａを、水平方向に互いに間隔をあけてそれぞれ上下方向に固定し、これら複数本の支柱３、３ａの上端部に、手摺４を掛け渡している。
【０００３】
図１０〜１２に示した第１例の構造の場合には、上記各支柱３、３の中間部下端寄り部分同士の間に掛け渡した下枠５、５の上面と上記手摺４の下面との間に、複数本の竪材６、６を掛け渡している。これに対して、図１３〜１５に示した第２例の構造の場合には、上枠７の下面と下枠５ａの上面との間にそれぞれ複数本ずつの竪材６、６を掛け渡して成る複数枚のパネルユニット８、８の両端部を、それぞれブラケット９、９により、上記各支柱３ａ、３ａに支持固定している。
【０００４】
何れの構造の場合も、上記フェンス１、１ａの意匠は、図１０、１３から明らかな通り、上記各支柱３、３ａの存在に大きく影響される。一方、これら各支柱３、３ａの間隔（ピッチ）は、上記フェンス１、１ａに必要且つ十分な強度を確保できる範囲で、できる限り広くする事が一般的である。従って、上記従来構造の場合には、上記各支柱３、３ａの存在に基づき、上記フェンス１、１ａの意匠が制限される。
【０００５】
これに対して、特許文献１には、図１６〜１７に示す様な構造のフェンス１ｂが記載されている。この従来構造の第３例のフェンス１ｂは、各支柱３、３の中間部で基部２の上面から少し上方位置部分に１本の下枠１０を、これら各支柱３、３同士の間に掛け渡す様に固定している。又、上記各支柱３、３の上端部同士の間に、１本の上枠１１を、これら各支柱３、３同士の間に掛け渡す様に、且つ、上記下枠１０と平行に固定している。そして、この下枠１０により複数枚のパネルユニット１２、１２の下端縁部を、上記上枠１１によりこれら各パネルユニット１２、１２の上端縁部を、それぞれ抱持している。
【０００６】
この様な特許文献１に記載された構造の場合には、図１０、１３と図１６とを比較すれば明らかな通り、フェンス１ｂを外から（支柱３、３を設置した側と反対側から）見た場合に、支柱３、３が目立たない。従って、隣り合う支柱３、３同士の間隔（ピッチ）に拘らず、上記フェンス１ｂの意匠設計上の自由度が向上する。但し、高層建築物のベランダの屋外側端部に設置するフェンスとして利用する場合の事を考慮すると、構築作業の能率化、作業員の安全性確保の面からは、改良の余地がある。この点に就いて、図１８を参照しつつ説明する。
【０００７】
高層マンション等の高層建築物の建設作業時にも、他の建築物の場合と同様、建築物１３の外装作業等の容易化を図る為に、図１８に示す様に、足場１４を組む。又、高層建築物の場合にこの足場１４は、地面から最上部迄達する高いものを築くのではなく、複数階分（図示の例では３階分）のユニットを使用し、建設作業の進行に伴ってこのユニットを上方に移動させる。即ち、コンクリートの打設作業等により、ベランダの床部１５、１５を含めて上記建築物１３の一部が構築されると、上記ユニットの上下両端部に設けた吊り下げブラケット１６、１６の基端部、及び、中間部に設けた、壁繋ぎと呼ばれる連結ブラケット１７、１７の基端部を、それぞれ上記各床部１５、１５の屋外側（図１８の左側）端部に係止し、上記足場１４を組む。そして、この足場１４は、外装作業が済み次第上方に移動させて、上方の階の外装作業に使用する。
【０００８】
上記各床部１５、１５の屋外側端部にフェンスを設置する作業は、このフェンスを設置すべき各床部１５、１５の屋外側に上記足場１４が存在する状態で行なう事が、作業の容易性と安全性とを確保する面からは好ましい。但し、上述した従来構造の場合、何れの構造でも、上記足場１４が存在する状態でフェンスの設置作業を行なう事が難しい。この理由は、フェンスの下辺を構成する下枠５、５ａ、１０の下面と基部２の上面との間に、上記各ブラケット１６、１７を配置できない為である。
【０００９】
即ち、高層建築物に設置するフェンスの場合、ベランダからの大きな物品の落下防止の為に、下枠５、５ａ、１０の下面と基部２の上面との間の隙間１８の高さＨ18（図１０、１３、１６参照）を８０mm以下に抑える事が義務付けられている。一方、上記各ブラケット１６、１７の高さ寸法は、重量の嵩む上記足場１４を確実に支持する必要上、８０mmを上回る場合が多い。特に、この足場１４のユニットの上下両端部に設ける吊り下げブラケット１６、１６は大きな強度を必要とする為、殆どの場合、８０mmを上回る。しかも、上記各ブラケット１６、１７は、上記各床部１５、１５の屋外側端部でこれら各床部１５、１５の上面近傍部分に、屋内外方向に、即ち、上記下枠５、５ａ、１０の配設方向と直角方向に設置されるので、そのままではこの下枠５、５ａ、１０を設置する事ができない。
【００１０】
この為従来は、上記各床部１５、１５の屋外側に上記足場１４が存在しない状態で、これら各床部１５、１５の屋外側端部へのフェンスの設置作業を行なう様にしていた。但し、この様な作業は、命綱を必要とする危険な作業となる為、作業員の動きが（命綱により）制限されて、作業能率が悪くなる。又、上記各床部１５、１５上には作業員が、上記足場１４を撤去した（上層に移動させた）後でも、上記フェンスを設置する以前に、このフェンスを設置する以外の理由で、建築物の内部から出る場合がある。この様な場合に、上記各床部１５、１５の屋外側端部に、柵等の転落防止用の構造物が存在しないと危険である。
【００１１】
【特許文献１】特開平１１−１２５０３７号公報
【発明の開示】
【発明が解決しようとする課題】
【００１２】
本発明は、上述の様な事情に鑑みて、足場が存在する場合にも、パネルユニットを除くフェンスの構成各部材を設置しておく事ができ、このパネルユニットの建て込みを、上記足場を除去した後に、容易且つ安全に行なえる、フェンスの構造及びその構築方法を実現すべく発明したものである。
【課題を解決するための手段】
【００１３】
本発明の対象となるフェンスは、前述した従来から知られているフェンスと同様に、複数本の支柱と、下枠と、上枠と、複数枚のパネルユニットとを備える。
このうちの各支柱は、水平方向に互いに間隔をあけた状態で、それぞれ上下方向に固定している。
又、上記下枠は、上記各支柱の中間部同士の間に、これら各支柱よりも表側に突出した状態で掛け渡されたもので、上方が開口した下側抱持溝部を有する。
又、上記上枠は、上記各支柱の上部同士の間に、これら各支柱よりも表側に突出した状態で掛け渡されたもので、下方が開口した上側抱持溝部を有する。
更に、上記各パネルユニットは、それぞれの下端縁部を上記下枠に、それぞれの上端縁部を上記上枠に、それぞれ抱持されている。
【００１４】
特に、本発明のうちの請求項１に記載したフェンスに於いては、上記下枠は、上記各支柱の表側に、支持ブラケットを介して支持されている。
又、これら各支持ブラケットはこれら各支柱の表側側面に上下方向に設けられた係止溝部に、取付ねじを緩めた状態で昇降可能に、且つ、この取付ねじを緊締した状態で上下位置を固定可能に支持されている。
更に、上記各パネルユニットは、それぞれの上端縁部を上記上側抱持溝部に、同じく下端縁部を上記下側抱持溝部に、それぞれ抱持する事で、上記上下両枠同士の間に保持している。
この様な本発明のフェンスを実施する場合に、例えば請求項２に記載した様に、上側抱持溝部の深さを、この上側抱持溝部と各パネルユニットの上端縁部との上下方向に関する掛り代と、これら各パネルユニットの下端縁部と下枠との上下方向に関する掛り代とを合計した深さ以上とする。そして、予め（パネルユニットの建て込みに先立って）所定位置に固定した下枠と上枠との間に上記各パネルユニットを建て込み、更にこれら両枠同士の間に保持可能とする。
【００１５】
又、請求項３に記載したフェンスの構築方法は、上述の様な本発明のフェンスを、ビルディングのベランダの屋外側端部に設置する方法である。
この様な本発明のフェンスの構築方法では、先ず、上記ベランダ部分に足場が存在する状態で、上記各支柱の上端部同士の間でフェンス完成後の位置に上枠を固定すると共に、前記各支持ブラケットを前記係止溝部に沿って移動させる事により、上記各支柱の上下方向中間部でフェンス完成後の位置よりも上方に位置させ、且つ、上記各支持ブラケット同士の間に上記下枠を掛け渡した状態で上記取付ねじを緊締して、この下枠を上記各支柱同士の間で完成後の状態よりも上方位置に仮固定する。
その後、或いは、上記各支柱に上記上枠及び上記下枠をこれら各支柱に固定するのに先立って、これら各支柱の基端部を射体に支持固定する。
次いで、この様な状態で上記足場を取り外した後、上記取付ねじを緩めて上記各支持ブラケットを上記下枠と共にフェンス完成後の位置に迄下降させて固定してから、この下枠と上記上枠との間に上記各パネルユニットを建て込む。
【００１６】
上述の様な本発明のフェンスの構築方法を実施する場合にも、例えば請求項４に記載した様に、前記上側抱持溝部の深さを、この上側抱持溝部と上記各パネルユニットの上端縁部との上下方向に関する掛り代と、これら各パネルユニットの下端縁部と下枠との上下方向に関する掛り代とを合計した深さ以上とする。
そして、それぞれが完成後の位置に設置された下枠と上枠との間に上記各パネルユニットを、これら各パネルユニットの上端縁部を上側抱持溝部に係合させてからこれら各パネルユニットの下端縁部を下側抱持溝部に係合させる順番で建て込む。
【００１７】
又、上述の様な本発明のフェンスの構築方法を実施する場合に好ましくは、請求項５に記載した様に、上記各支持ブラケットの一部にねじ孔又は通孔を形成しておく。又、上記各支柱の表側下部で、それぞれこれら各支持ブラケットをフェンス完成後の位置に迄移動させた状態で上記ねじ孔又は通孔と整合する位置に、通孔又はねじ孔を設ける。そして、上記各支持ブラケットをフェンス完成後の位置に移動させた後、これら各支持ブラケット又は上記各支柱に形成されたねじ孔に螺合した固定用ねじを、これら各支柱又はこれら各支持ブラケットに形成された通孔に挿通する。この作業により、これら各支柱に対するこれら各支持ブラケットの上下位置を規制する。
【００１８】
或いは、上述の様な本発明のフェンスの構築方法を実施する場合に好ましくは、請求項６に記載した様に、上記各支柱の表側側面に設けた前記係止溝部として、この表側開口部の幅が狭く、奥側の幅を広くなったものを使用する。又、この係止溝部に上下方向の移動を可能に係合させた各係止板に形成したねじ孔に、各支持ブラケットに形成した通孔を表側から挿通した取付ねじを螺合させる。そして、上記各係止板の下端部をこれら各支持ブラケットの下端縁よりも下方に迄延長し、これら各係止板の下端縁をベランダの屋外側端部で上記各支柱を設ける部分の上面に突き当てる事で、上記各支持ブラケットの下降量を制限する。
【００１９】
更には、請求項５に記載した発明と請求項６に記載した発明とを組み合わせて、請求項７に記載した様な態様で実施する事もできる。この場合には、上記各係止板の下端縁をベランダの屋外側端部で上記各支柱を設ける部分の上面に突き当てる事で、上記各支持ブラケットの下降量を、これら各支持ブラケット側に形成したねじ孔又は通孔が、上記各支柱側に設けた通孔又はねじ孔に丁度整合するか、若しくは、これら各支柱側に設けた通孔又はねじ孔よりも少しだけ下方に位置する様に制限する。そして、上記各支持ブラケットを下降させて上記各係止板の下端縁を上記上面に突き当てた後、これら各支持ブラケット又は上記各支柱に形成されたねじ孔に螺合した固定用ねじを、これら各支柱又はこれら各支持ブラケットに形成された通孔に挿通する事により、これら各支柱に対するこれら各支持ブラケットの上下位置を規制する。
【発明の効果】
【００２０】
上述の様な、本発明のフェンス及びその構築方法によれば、足場が存在する場合にも、各パネルユニットを除くフェンスの構成各部材を設置しておく事ができ、これら各パネルユニットの建て込みを、上記足場を除去した後に、容易且つ安全に行なえる。又、足場を撤去した後、上記各パネルユニットの建て込みを完了する以前にも、ベランダに出る作業員の安全を図れる。
【００２１】
先ず、足場が存在する場合にも、上記各パネルユニットを除くフェンスの構成各部材を設置しておける理由は、各支持ブラケットを各支柱に対し昇降可能に組み付ける事により、下枠をフェンス完成後の位置よりも上方に配置できる為である。この為、この下枠の下面と、ベランダの屋外側端部等、上記フェンスを設置する部分の上面との間に、上記足場を設置する為の吊り下げブラケットや連結ブラケットが存在しても、上記構成各部材、即ち、支柱と、上枠と、下枠とを設置できる。
【００２２】
次に、各パネルユニットの建て込みを、上記足場を除去した後に、容易且つ安全に行なえる理由は、この足場を除去する以前に、上記構成各部材をベランダの屋外側端部に設置（固定）する作業を完了できる為である。上記足場を撤去した後、上記各パネルユニットを建て込む為に行なう作業は、上記下枠を所定位置に迄下降させた後、この下枠と上記上枠との間に上記各パネルユニットを建て込む事により行なう。これら各作業を行なう状態では、上記各支柱及び上記上枠が、上記ベランダの屋外側端部にしっかりと固定されており、作業員が不安定な姿勢により作業を行なう必要もない。この為、上記作業を安全に行なえる。
【００２３】
更に、足場を撤去した後、上記各パネルユニットの建て込みを完了する以前にも、ベランダに出る作業員の安全を図れる理由は、上記各支柱と上記上枠と上記下枠とが、転落防止用の柵としての役目を果たす為である。特に、上記各パネルユニットの建て込み作業を開始する以前の状態では、上記下枠が、上記各支柱の高さ方向中間部に存在するので、この下枠が、上記ベランダの屋外側端部上面と上記上枠との間に存在する空間を狭くし、この空間を通じて作業員が転落する事を防止できる。
【発明を実施するための最良の形態】
【００２４】
図１〜１０は、本発明の実施の形態の１例を示している。先ず、本例のフェンス１ｃの完成状態の構造に就いて、図１〜４により説明する。このフェンス１ｃは、複数本の支柱１９、１９と、１本の下枠２０と、１本の上枠２１と、複数枚のパネルユニット２２、２２とを備える。尚、これら下枠２０及び上枠２１が１本であるとは、１本の下枠２０及び上枠２１により複数枚のパネルユニット２２、２２を支持するとの意味である。上記フェンス１ｃを設置すべきベランダが長い場合にも、このベランダの全長に亙って１本の下枠２０及び上枠２１を設けるとの意味ではない。これら下枠２０及び上枠２１の長さは、工場から建設現場への搬送、この建設現場での取り扱い性を考慮して、例えば、３〜５ｍ程度とする。
【００２５】
上記各構成部材のうちの、上記各支柱１９、１９は、ベランダの床部１５（図１８参照）の屋外側端部上面に設けた、土手部の如きコンクリート製の基部２の上面に、水平方向（図１〜２の左右方向、図３の表裏方向）に互いに間隔をあけて、それぞれ上下方向（鉛直方向）に固定している。本例の場合に上記各支柱１９、１９はそれぞれ、下端部を上記基部２に埋設固定した、鋼製或いはステンレス鋼製で円管状の内部支柱２３と、この内部支柱２３にがたつきなく外嵌してリベットによりこの内部支柱２３に対し固定した、アルミニウム合金の押し出し型材製の外部支柱２４とから構成している。
【００２６】
又、上記下枠２０は、上記各支柱１９、１９の中間部下端寄り部分同士の間に、これら各支柱１９、１９よりも表側（フェンスとしての意匠を重要視する側で、図１の手前側、図２の下側、図３の左側）に突出した状態で掛け渡されている。この為に本例の場合には、上記各支柱１９、１９の中間部下端寄り部分の表面側に、それぞれ略横Ｔ字形の支持ブラケット２５、２５を結合固定している。これら各支持ブラケット２５、２５を固定可能とする為、上記各支柱１９、１９を構成する上記外部支柱２４の表側側面に係止溝部２６を、上下方向に設けている。この係止溝部２６は、図４に示す様に、この表側の開口部の幅が狭く、奥側の幅が広くなっており、この係止溝部２６に係止板２７を、上下方向の移動のみを可能に（開口部から表側に抜け出ない様に）係合させている。この係止板２７は、ステンレス鋼板等の、十分な強度及び剛性を有する金属板で造られており、上下２個所位置の幅方向中央部で上記係止溝部２６の開口部に整合する部分に、それぞれねじ孔を形成している。そして、これら両ねじ孔に、上記各支持ブラケット２５、２５を構成する基板部２９の上下両端部に設けた通孔を表側から挿通した、取付ねじ２８、２８を螺合している。
【００２７】
これら両取付ねじ２８、２８を緩めた状態では、上記係止板２７及び上記各支持ブラケット２５、２５が上記係止溝部２６に沿って、上記各支柱１９、１９の上下方向に移動可能になる。これに対して、上記両取付ねじ２８、２８を緊締した状態では、上記外部支柱２４を構成する表側板部３０の一部で、上記係止溝部２６の両側に位置する部分が、上記係止板２７と上記基板部２９との間で強く挟持される。この状態で、上記各支持ブラケット２５、２５の上下位置が固定される。更に、本例の場合には、これら各支持ブラケット２５と上記各支柱１９、１９との間に固定用ねじ３１、３１を掛け渡す事により、これら各支持ブラケット２５の上下位置が、完成後の適正位置から不用意にずれ動かない様にしている。
【００２８】
この為に本例の場合には、上記基板部２９の下端部左右両端寄り部分に、上記両固定用ねじ３１、３１を挿通する為の通孔を、上記表側板部３０の一部で、上記各支持ブラケット２５、２５を完成状態での適正位置に移動させた場合に上記両通孔に整合する位置にねじ孔を、それぞれ形成している。上記両固定用ねじ３１、３１は、上記各支持ブラケット２５、２５を完成状態での適正位置に移動させた後、表側から上記両通孔に挿通し、上記ねじ孔に螺合させる。この状態では、仮に上記両取付ねじ２８、２８が緩んだとしても、上記各支持ブラケット２５、２５が上記各支柱１９、１９に対し下降する事はなくなる。尚、上記両固定用ねじ３１、３１を挿通或いは螺合させる、通孔とねじ孔とは、互いに逆の部分に（ねじ孔を上記基板部２９に、通孔を上記表側板部３０に）形成しても良い。又、何れの場合でも、ねじ孔は、上記両固定用ねじ３１、３１を螺合させた状態でねじ孔となっていれば良い。要するに、これら両固定用ねじ３１、３１をタッピングねじとし、これら両固定用ねじ３１、３１を下孔に螺入する構造でも良い。
【００２９】
上述の様にして、上記各表側側面の中間部下端寄り部分に固定された、上記各支持ブラケット２５、２５同士の間に掛け渡す、前記下枠２０は、アルミニウム合金の押し出し型材製で、上方が開口した断面形状を有する。又、本例の場合には、上記下枠２０の上下方向中間部に、この下枠２０の両内側面の同じ高さ位置から互いに近付く方向に突出した１対の水平板部３２、３２を形成し、これら水平板部３２、３２よりも上側部分を、前記各パネルユニット２２、２２の下端縁部を抱持する為の下側抱持溝部３３としている。
【００３０】
又、前記上枠２１は、上記各支柱１９、１９の上端部同士の間に、これら各支柱１９、１９よりも表側に突出した状態で掛け渡されている。この為に本例の場合には、これら各支柱１９、１９を構成する前記外部支柱２４の上端部に平板状の支持板３４の長さ方向（図３の表裏方向）中央部を、複数本のタッピングねじ３５、３５により固定している。尚、このタッピングねじ３５、３５は、上記支持板３４に形成した通孔を上方から挿通した状態で、上記外部支柱２４の内周面部分に存在するタッピング溝３６、３６に螺合し更に緊締する。上記上枠２１の長さ方向（図１、２の左右方向、図３の表裏方向）に関する、上記支持板３４の長さ寸法は、同方向に関する上記各支柱１９、１９の幅寸法よりも大きい。従って、この支持板３４の長さ方向両端部は、これら各支柱１９、１９の両側面から突出している。上記上枠２１は、この様な支持板３４の長さ方向両端部を下方から挿通した複数本の止めねじ３７、３７により、この支持板３４を介して、上記各支柱１９、１９の上端部に支持固定されている。
【００３１】
この様にして、これら各支柱１９、１９の上端部に支持固定された、上記上枠２１の表側半部は、これら各支柱１９、１９よりも、表側に突出（オーバハング）している。そして、上記上枠２１の下面で、これら各支柱１９、１９よりも表側に突出した部分に、下方が開口した上側抱持溝部３８を設けている。本例の場合、この上側抱持溝部３８の深さＨ38を、前記各パネルユニット２２、２２の上端縁部を保持する為に必要とされる深さよりも十分に大きくしている。具体的には、上記深さＨ38を、上記各パネルユニット２２、２２の上端縁部と上記上側抱持溝部３８との上下方向に関する掛り代ＨH と、これら各パネルユニット２２、２２の下端縁部と前記下枠２０との上下方向に関する掛り代ＨL とを合計した深さ以上（Ｈ38≧ＨH ＋ＨL ）としている。そして、この様に上記上側抱持溝部３８の深さＨ38を確保する事により、予め完成後の位置に固定した上記下枠２０と上記上枠２１との間に上記各パネルユニット２２、２２を建て込み、更にこれら両枠２０、２１同士の間に保持可能としている。
【００３２】
上記各パネルユニット２２、２２は、上述の様な上側抱持溝部３８と前記下側抱持溝部３３との間に、一般的な、引戸式の雨戸障子やガラス障子と同様の建て込み方式である、ケンドン式に建て込んでいる。本例の場合、上記各パネルユニット２２、２２は、矩形のガラスパネル３９の四周を、上框４０と下框４１と左右の竪框４２、４２とにより囲んで成る。この様な上記各パネルユニット２２、２２は、それぞれの下端縁部に位置する上記下框４１を上記下側抱持溝部３３に保持すると共に、それぞれの上端縁部を構成する上記上框４０を上記上側抱持溝部３８に保持した状態で、上記下枠２０と上記上枠２１との間に建て込んでいる。
【００３３】
次に、上述の様な構成を有するフェンス１ｃの構築方法に就いて説明する。
先ず、このフェンス１ｃを設置すべきベランダ部分に、前述の図１８に示す様に足場１４が存在する状態で、上記各支柱１９、１９の基端部、即ち下端部を、躯体である、前記ベランダの床部１５の屋外側端部上面に設けた基部２の上面に支持固定する。この作業は、この基部２の上面に開口する状態で設けた支持孔４３内に上記各支柱１９、１９の下端部を緩く挿入し、これら各支柱１９、１９の下端部外周面と上記支持孔４３の内周面との間の隙間内にモルタル４４を充填する事により行なう。
【００３４】
上記各パネルユニット２２、２２の建て込みは、上記モルタル４４が十分に固化してから行なう。但し、上記各支柱１９、１９の上端部同士の間への上記上枠２１の掛け渡しは、好ましくは、上記モルタル４４を充填する以前である、上記各支柱１９、１９の下端部を上記各支持孔４３内に挿入する以前に行なう。例えば、上記各支柱１９、１９の上端部同士の間への上記上枠２１の掛け渡しは、予め工場で行なっても良い。又、これら各支柱１９、１９を構成する、前記内部支柱２３と前記外部支柱２４とに就いても、予め工場で組み合わせておく。従って、上記各支柱１９、１９と上記上枠２１との位置関係は、これら各支柱１９、１９を固定する以前の状態で、完成後の適正な関係になる。そして、例えば、上記上枠２１と上記ベランダ部分、建造物の外壁面等、足場１４以外の固定の部分との間に支え棒等を仮設して、上記各支柱１９、１９が鉛直方向に配置されたまま、上記床部１５の屋外側端部上面に固定される様にする。
【００３５】
又、前記下枠２０に就いても、上記各支柱１９、１９の下端部を上記各支持孔４３内に挿入する以前に、これら各支柱１９、１９同士の間に掛け渡す。この為に、前記各支持ブラケット２５、２５は、予め工場で、これら各支柱１９、１９の表側側面に装着しておく。又、上記下枠２０に就いても同様に、予め工場で、これら各支柱１９、１９同士の間に掛け渡しても良い。但し、これら各支持ブラケット２５、２５及び上記下枠２０に就いては、上記各支柱１９、１９の基端部を前記基部２の上面に支持固定する際には、図５〜６に示す様に、完成後の位置よりも上方である、上記各支柱１９、１９の高さ方向中間部に仮固定しておく。この仮固定は、前記両取付ねじ２８、２８を緩めた状態で、上記各支持ブラケット２５、２５を図５〜６に示した位置に移動させた後、上記両取付ねじ２８、２８を緊締する事により行なう。
【００３６】
本例の場合、上述の様に、上記各支柱１９、１９と上記上枠２１及び上記下枠２０を基部２の上面に支持固定する作業を、この下枠２０を完成後の位置よりも上方に移動させた状態で行なう。この為、この下枠２０と、上記足場１４をベランダの床部１５、１５に支持する為の吊り下げブラケット１６や連結ブラケット１７（図１８参照）とが干渉する事はない。従って、上記各部材１９、２０、２１を基部２の上面に支持固定する作業を、ベランダの外側に上記足場１４が存在する状態で行なえる。この為、この支持固定作業を、命綱等を使用しなくても安全に行なう事ができ、前記フェンス１ｃの設置作業の能率化を図れる。
【００３７】
前記パネルユニット２２、２２の建て込み作業は、上記足場１４を撤去した（上層階へ吊り上げた）後、上記下枠２０を、完成後の適正位置に下降させてから行なう。尚、この様に下枠２０を下降させる作業は、上記建て込み作業の直前に行なう。それまでの間は、上記下枠２０を図５〜６に示した位置に止める。この状態では、この下枠２０を含む、上記各部材１９、２０、２１が、前記床部１５から作業員が落下するのを防止する為の安全柵として機能する。
【００３８】
上記足場１４を撤去した後に、上記建て込み作業を行なうべく、上記下枠２０を完成後の適正位置に固定するには、前記両取付ねじ２８、２８を緩めてから、図７に矢印で示す様に、前記各支持ブラケット２５、２５と共に、上記下枠２０を適正位置に迄下降させる。そして、前記各固定用ねじ３１、３１を表側から螺合し、上記各支持ブラケット２５、２５の高さ位置を固定する。尚、上記両取付ねじ２８、２８を螺合させる為の、前記係止板２７を、上記各支持ブラケット２５の基板部２９よりも下方に迄延長し、この係止板２７の下端縁が前記基部２の上面に突き当たった状態で、上記各固定用ねじ３１、３１を挿通或いは螺合させる為の通孔とねじ孔とが整合若しくは近傍に位置する様にすれば、上記下枠２０を適正位置に迄下降させ、更にこの適正位置に固定する作業を容易に行なえる。
【００３９】
何れにしても、上記下枠２０を適正位置に下降させて固定すれば、上記パネルユニット２２、２２の建て込みを行なえる状態になる。この建て込み作業は、前述の様に、ケンドン式に行なう。この場合に於いて、上記各パネルユニット２２、２２の幅寸法Ｗ22が隣り合う支柱１９、１９同士の間隔Ｄ19よりも小さい（Ｗ22＜Ｄ19）場合と、そうでない（Ｗ22≧Ｄ19）場合とで、建て込む方向を異ならせる。
【００４０】
上記幅寸法Ｗ22が上記間隔Ｄ19よりも小さい場合には、１枚のパネルユニット２２を、建て込み時の姿勢としたまま（下枠２０及び上枠２１と下框４１及び上框４０とを平行にしたまま）、隣り合う支柱１９、１９同士の間を通過させられる。そこで、図８に示す様に、上記パネルユニット２２を１枚ずつ、上方に向かう程表側（屋外側）に向かう方向に傾斜させた状態で、上記下枠２０と上記上枠２１との間に裏側（屋内側）から近づける。そして、上記上框４０を前記上側抱持溝部３８に進入させ、この上框４０をこの上側抱持溝部３８の奥に迄押し込みつつ、上記パネルユニット２２を鉛直方向に向ける。この結果、上記上框４０が上側抱持溝部３８の奥端に達した状態で、上記下框４１が前記下側抱持溝部３３の直上に位置するので、上記パネルユニット２２を下降させ、この下框４１をこの下側抱持溝部３３に入り込ませる。この状態で、上記パネルユニット２２の上端縁部が上記上枠２１に、同じく下端縁部が上記下枠２０に、それぞれ保持される。
【００４１】
これに対して、上記幅寸法Ｗ22が上記間隔Ｄ19と同じかそれ以上である場合には、１枚のパネルユニット２２を、建て込み時の姿勢としたまま、隣り合う支柱１９、１９同士の間を通過させる事はできない。そこで、この場合には、図９に示す様に、上記パネルユニット２２を斜めにして、上記隣り合う支柱１９、１９同士の間を通過させてから、このパネルユニット２２を、表側から上記上枠２１と上記下枠２０との間に建て込む。この場合の建て込み作業の手順は、上記パネルユニット２２の傾斜方向が逆になる以外、上述の様に裏側から建て込む場合と同様にして行なう。何れの場合でも、上記パネルユニット２２の取り扱いは、吸盤を備えたハンドリング治具を利用して行なう。
【００４２】
或いは、図示はしないが、ベランダの長さが長く、上記下枠２０が、複数本を直列に繋げて構成したものである場合、上記パネルユニット２２を、ケンドン式ではなく、スライド式に建て込む事もできる。この場合には、例えば水平方向端部の下枠を外し、残りの下枠２０と上枠２１との間にパネルユニット２２、２２を、戸袋から雨戸レールに雨戸を押し出す如く、スライドさせて建て込む。但し、上記水平方向端部に関しては、取り外しておいた下枠２０を装着してから、ケンドン式に建て込む。
何れの場合でも、前記ベランダの床部の上面端部で建て込み作業を行なう部分には、図８〜９に示す様に、上記パネルユニット２２の下辺を当接させる、市販の支え治具４６、４６を置いて、このパネルユニット２２の重量を支え、上記建て込み作業時に於ける、このパネルユニット２２の落下事故の防止を図る。
【００４３】
上述の様な、本例のフェンス及びその構築方法によれば、前述の様な理由により、足場が存在する場合にも、各パネルユニットを除くフェンスの構成各部材を設置しておく事ができ、これら各パネルユニットの建て込みを、上記足場を除去した後に、容易且つ安全に行なえる。又、足場を撤去した後、上記各パネルユニットの建て込みを完了する以前にも、ベランダに出る作業員の安全を図れる。
【００４４】
更に、本例の構造によれば、意匠が前記各支柱１９、１９の間隔（ピッチ）に影響されにくく、しかも、構築作業や修理作業を少ない人数で行なえる。
先ず、上記各支柱１９、１９同士の間に、これら各支柱１９、１９よりも表側に突出した状態で設けられた上記上枠２１と上記下枠２０との間に上記各パネルユニット２２、２２を建て込むので、上記各支柱１９、１９の大部分がこれら各パネルユニット２２、２２の裏側に隠れ、意匠を重要視する表側に表れない。従って、フェンスの意匠を考える場合に、上記各パネルユニット２２、２２の幅及びピッチと上記各支柱１９、１９のピッチとを関連付ける必要がなくなる。この結果、意匠設計上の自由度が向上する。
【図面の簡単な説明】
【００４５】
【図１】本発明の実施の形態の１例を示す、フェンスを表側から見た図。
【図２】図１の拡大Ａ−Ａ断面図。
【図３】同拡大Ｂ−Ｂ断面図。
【図４】支柱のうちの外部支柱を取り出して図２と同方向から見た断面図。
【図５】作業員の転落防止の為に下枠を完成後の状態よりも上方位置に仮固定した状態を表側から見た図。
【図６】図５の拡大Ｃ−Ｃ断面図。
【図７】支柱に対し下枠を支持している部分の斜視図。
【図８】下枠を完成後の位置に迄下降させた後、この下枠と上枠との間にパネルユニットを建て込む状態の第１例を、ベランダ側から見た状態で示す斜視図。
【図９】同第２例を示す斜視図。
【図１０】従来構造の第１例を示す、図１と同様の図。
【図１１】図１０の拡大Ｄ−Ｄ断面図。
【図１２】同拡大Ｅ−Ｅ断面図。
【図１３】従来構造の第２例を示す、図１と同様の図。
【図１４】図１３の拡大Ｆ−Ｆ断面図。
【図１５】同拡大Ｇ−Ｇ断面図。
【図１６】従来構造の第３例を示す、図１と同様の図。
【図１７】図１６の拡大Ｈ−Ｈ断面図。
【図１８】高層建築物を建築する為に組んだ足場を示す略側面図。
【符号の説明】
【００４６】
１、１ａ、１ｂ、１ｃ  フェンス
２    基部
３、３ａ  支柱
４    手摺
５、５ａ  下枠
６    竪材
７    上枠
８    パネルユニット
９    ブラケット
１０    下枠
１１    上枠
１２    パネルユニット
１３    建築物
１４    足場
１５    床部
１６    吊り下げブラケット
１７    連結ブラケット
１８    隙間
１９    支柱
２０    下枠
２１    上枠
２２    パネルユニット
２３    内部支柱
２４    外部支柱
２５    支持ブラケット
２６    係止溝部
２７    係止板
２８    取付ねじ
２９    基板部
３０    表側板部
３１    固定用ねじ
３２    水平板部
３３    下側抱持溝部
３４    支持板
３５    タッピングねじ
３６    タッピング溝
３７    止めねじ
３８    上側抱持溝部
３９    ガラスパネル
４０    上框
４１    下框
４２    竪框
４３    支持孔
４４    モルタル
４５    固定ねじ
４６    支え治具
【図１】
2007327286.tif 000003
【図２】
2007327286.tif 000004
【図３】
2007327286.tif 000005
【図４】
2007327286.tif 000006
【図５】
2007327286.tif 000007
【図６】
2007327286.tif 000008
【図７】
2007327286.tif 000009
【図８】
2007327286.tif 000010
【図９】
2007327286.tif 000011
【図１０】
2007327286.tif 000012
【図１１】
2007327286.tif 000013
【図１２】
2007327286.tif 000014
【図１３】
2007327286.tif 000015
【図１４】
2007327286.tif 000016
【図１５】
2007327286.tif 000017
【図１６】
2007327286.tif 000018
【図１７】
2007327286.tif 000019
【図１８】
2007327286.tif 000020